(57)【要約】【課題】外部から進入する恐れのある塵や埃を抑制することができるディスク装置を提供する。【解決手段】ディスク装置１に、ディスクが挿入又は排出される筐体１０と、ディスクを載置可能であり、筐体１０の内部に挿入される方向及び筐体１０の外部に排出される方向に移動可能なディスクトレイ３０と、ディスクトレイ３０が筐体１０の内部に挿入される動作に連動して天井部４０Ａとディスクトレイ３０との隙間を閉塞し、ディスクトレイ３０が筐体１０の外部へ排出される動作に連動して天井部４０Ａとディスクトレイ３０との隙間を開放する閉塞開放機構７０と、を設けた。【選択図】図１
2007102890.tif 000002
【特許請求の範囲】
【請求項１】
ディスクが挿入又は排出される装置本体と、
前記ディスクを載置可能であり、前記装置本体の内部に挿入される方向及び前記装置本体の外部に排出される方向に移動可能なディスクトレイと、
前記ディスクトレイが前記装置本体の内部に挿入される動作に連動して前記装置本体と前記ディスクトレイとの隙間を閉塞し、前記ディスクトレイが前記装置本体の外部へ排出される動作に連動して前記装置本体と前記ディスクトレイとの隙間を開放する閉塞開放機構と、
を具備したことを特徴とするディスク装置。
【請求項２】
請求項１に記載のディスク装置であって、
前記閉塞開放機構は、前記装置本体側に回動自在に設けられて前記装置本体と前記ディスクトレイとの隙間を開閉可能とするシャッター部材と、前記ディスクトレイが進退することにより前記シャッター部材を回動させるカム機構と、を備え、
前記ディスクトレイには、前記ディスクトレイの進退動作を前記カム機構に伝達するカム面が設けられたことを特徴とするディスク装置。
【請求項３】
請求項２に記載のディスク装置であって、
前記シャッター部材には爪部が設けられ、
前記ディスクトレイにはフック部が設けられ、
前記ディスクトレイにベアディスクタイプのディスクを載置した場合には、前記ディスクトレイを前記装置本体内部に収納した状態において前記爪部は前記フック部に係合し、
前記ディスクトレイにカートリッジタイプのディスクを載置した場合には、前記ディスクトレイを前記装置本体内部に収納した状態において前記爪部は前記フック部に係合しないことを特徴とするディスク装置。
【請求項４】
請求項３に記載のディスク装置であって、
前記カム機構は、
前記シャッター部材に連続して設けられたプレートと、
このプレートの一端に設けられ前記ディスクトレイの進退動作に連動して前記カム面に沿って滑らかに回転する回転部材と、
前記装置本体および前記プレート間に亘って設けられ前記シャッター部材を閉塞する方向に付勢する付勢部材と、を備えた
ことを特徴とするディスク装置。
【請求項５】
請求項２に記載のディスク装置であって、
前記シャッター部材は、
前記シャッター部材の一端側に設けられた第１の回動軸と、
前記シャッター部材の他端側に設けられた第２の回動軸と、
前記シャッター部材における第１の回動軸と第２の回動軸との間に設けられた第３の回動軸と、を備えた
ことを特徴とするディスク装置。
【請求項６】
請求項１〜５のいずれかに記載のディスク装置であって、
前記ディスクトレイは、ベアディスクタイプのディスクとカートリッジタイプのディスクとの双方が載置可能であることを特徴とするディスク装置。
【発明の詳細な説明】
【技術分野】
【０００１】
本発明は、ディスクトレイを備えたディスク装置に関する。
【背景技術】
【０００２】
従来、例えばＤＶＤ（Digital Versatile Disk）やＣＤ（Compact Disc）等のディスクを再生あるいは記録するディスク装置が広く利用されている。このディスク装置としては、例えば、ディスクをディスクトレイに載置してディスク装置の内部に収納し、ディスク装置の内部においてこのディスクを高速回転させてディスクに記録された情報を読み込むトレイタイプのディスク装置が知られている（例えば、特許文献１参照）。
【０００３】
この特許文献１に記載のディスク装置は、本体部と、この本体部を覆う外装ケースと、を備えている。外装ケースは、下面及び前面が２面に亘って開口する金属製の上ケースと、上ケースの前面を閉塞する合成樹脂製の化粧板と、を備えている。化粧板には、長手状の窓部が開口形成されている。本体部は、ディスクを回転させる回転駆動手段と、ディスクに記録された情報を再生する再生手段と、ディスクトレイと、を備えている。ディスクトレイは、外装ケースの化粧板の窓部を通って水平方向に進退可能に移動し、ディスクが載置される略長方形のトレイ部と、窓閉塞板部と、を備えている。窓閉塞板部は、外装ケースの化粧板と同材質にて化粧板の窓部を閉塞する長手板状に形成され、トレイ部の長手方向の一縁に設けられる。
【０００４】
そして、ディスク装置は、ディスクをトレイ部に載置した状態でディスクトレイを進退させて、ディスクを挿入もしくは排出する。また、ディスクを装置内部に挿入した状態において、回転駆動手段にてディスクを高速回転させ、再生手段にてディスクに記録された情報を再生する構成が採用されている。
【０００５】
【特許文献１】特開２００４-１１０９６０号公報（第３頁−第５頁、図３参照）
【発明の開示】
【発明が解決しようとする課題】
【０００６】
しかしながら、上述した特許文献１のような構成では、防塵機能が充分ではなく、化粧板の窓部と窓閉塞板との間に隙間が生じ、この隙間からの塵埃によりディスクの信号を読み取る性能が低下する恐れがあるという問題が一例として挙げられる。
【０００７】
本発明は、上述したような問題点に鑑みて、外部からの塵埃の進入を効果的に防ぎ、かつディスクトレイの挿入又は排出に支障がない構造を備えたディスク装置を提供することを１つの目的とする。
【課題を解決するための手段】
【０００８】
請求項１に記載の発明は、ディスクが挿入又は排出される装置本体と、前記ディスクを載置可能であり、前記装置本体の内部に挿入される方向及び前記装置本体の外部に排出される方向に移動可能なディスクトレイと、前記ディスクトレイが前記装置本体の内部に挿入される動作に連動して前記装置本体と前記ディスクトレイとの隙間を閉塞し、前記ディスクトレイが前記装置本体の外部へ排出される動作に連動して前記装置本体と前記ディスクトレイとの隙間を開放する閉塞開放機構と、を具備したことを特徴とするディスク装置である。
【発明を実施するための最良の形態】
【０００９】
以下に、本発明の一実施の形態を図面に基づいて説明する。なお、本実施の形態では、本発明のディスク装置であって、カートリッジタイプのディスクとベアディスクタイプのディスクとの双方を載置可能なディスクトレイを具備した構成について例示して説明するが、これに限らない。すなわち、本発明のディスク装置は、ベアディスクタイプのディスクのみを載置可能なディスクトレイを具備した構成にも適用できる。また、以下において、ディスクトレイがディスクを装置内部に挿入する方向に前進する方向を前進方向と適宜称し、ディスクを装置外部に排出する方向に後退する方向を後退方向と適宜称す。そして、これら前進方向および後退方向を合わせて進退方向と適宜称して説明する。図１は、本発明の一実施の形態に係るディスク装置を示す分解斜視図である。図２は、ケーシング、ディスクトレイ、クランプ機構および閉塞開放機構を示す平面図である。図３は、筐体、ディスクトレイ、クランプ機構および閉塞開放機構を示す斜視図である。
【００１０】
〔ディスク装置の構成〕
図１および図２において、１はディスク装置であり、このディスク装置１は、装置内部においてディスクを回転させてディスクに対して情報の記録・再生を実施する。そして、ディスク装置１は、装置本体としての筐体１０と、装置本体としてのケーシング２と、ディスク回転駆動手段を備えたベース部材２０と、ディスクトレイ３０と、クランプ機構４０と、閉塞開放機構７０とを備えている。
【００１１】
ディスク装置１に用いられるディスクには、ベアディスクタイプのディスク（以下、ベアディスクと称す）と、カートリッジタイプのディスク（以下、カートリッジディスクと称す）と、がある。ベアディスクは、ＤＶＤやＣＤ等のようにディスクをそのまま用いるタイプのディスクである。このベアディスクの中心には、円状孔部が形成されている。
【００１２】
カートリッジディスクは、カートリッジの内部にディスクが収納されたタイプのディスクである。カートリッジは、例えば合成樹脂製のケース部材であり、所定の厚みを有した平面略矩形状に形成されている。このカートリッジには、カートリッジの外周の一部から中心部に向けて開口窓が設けられており、この開口窓から内部のディスクの記録・再生が可能となっている。また、カートリッジには、記録・再生の実行中以外の時にこの開口窓からディスクを保護するためにカバーが設けられている。そして、ディスクの中心には円状孔部が形成されている。
【００１３】
筐体１０は、合成樹脂等から形成される平面略長方形の筐部材である。この筐体１０は、図１に示すように、平面略長方形の平板状の底部１１を備えている。底部１１は、その内側に大きく空洞孔部が開口形成されている。この空洞孔部は図示しない電気回路とベース部材２０が収納されるスペースであり、この電気回路によってディスク装置１の動作が制御されている。
【００１４】
そして、底部１１の長尺方向両端部のうち前進方向側には、背面部１２が底部１１から所定寸法だけ立ち上がる状態で一体形成されている。また、底部１１の長尺方向両端部のうち後退方向側には、底部１１から所定寸法だけ立ち上がる状態で前面部１４が一体形成されている。この前面部１４の上面側には、ディスクトレイ３０が進退する開口部１４１が設けられている。また、前面部１４には図示しない操作部が設けられていて、この操作部は底部１１に設けられている前記電気回路に接続されている。この操作部にはディスクトレイ３０の進退を操作するための図示しないイジェクトボタン等が含まれている。そして、前面部１４の内面側には、連動機構５０が設けられている。この連動機構５０は、前記電気回路と各種信号が送受信可能に接続されており、前記電気回路の制御によりベース部材２０を回動させ、ディスクトレイ３０を進退させる。
【００１５】
さらに、底部１１の長尺方向両側縁には、一対の略長尺矩形状の側面部１５が底部１１から所定寸法だけ立ち上がる状態で一体形成されている。そして、これら一対の側面部１５及び背面部１２とで囲まれ底部１１と対向する位置に上面開口部１３が形成されている。また、それぞれの側面部１５の内壁には、ディスクトレイ３０を摺動自在に支持する摺動片１５０が進退方向に沿って設けられている。そして、側面部１５の一方において、その長尺方向両端部のうち後退方向側かつ当該側面部１５の長尺方向と直交する方向の略中間位置には、後述する回転部材７２１が挿通される所定の形状の開口部１５１が形成されている。また、当該側面部１５の外壁における開口部１５１の前進方向側近傍には、後述する閉塞開放機構７０の付勢部材７２２が取り付けられる付勢部材取付部１５２が設けられる。さらに、当該側面部１５において、当該側面部１５の長尺方向両端部のうち後退方向側かつ上面側には、軸方向が底部１１の長尺方向と略直交する筐体側軸受１５３が設けられている。
【００１６】
ケーシング２は、筐体１０の外周面を覆う部材である。このケーシング２は、下面及び前面が２面に亘って開口する金属製の上ケースと、上ケースの前面を閉塞する合成樹脂製の化粧板とを備えている。化粧板には、ベアディスクまたはカートリッジディスクを挿入排出するための長手状のスロットが開口形成されている。
【００１７】
図１において、ベース部材２０は、図示しないディスク回転駆動手段および後述する図示しない記録再生機構を保持し、連動機構５０の作用により図中上下方向に回動する。すなわち、このベース部材２０は、金属製の板材等で略長方形の板枠状に形成されており、その前進方向端部側が筐体１０における側面部１５の前進方向側に軸支されている。そして、ベース部材２０は、ディスクトレイ３０が筐体１０内に完全に収容されると、連動機構５０の作用により図中上方向に回動する。また、ベース部材２０は、ディスクトレイ３０が進退方向に移動する際およびディスクトレイ３０が筐体１０から完全に排出される際には、連動機構５０の作用により図中下方向に回動する。
【００１８】
そして、ベース部材２０の後退方向端部側には、ディスクテーブル２３が設けられている。このディスクテーブル２３は、ベース部材２０と略直交する方向を回転軸として回転可能となる平面円形に形成され、ベース部材２０の上面より上面側に突出して設けられている。そして、ディスクテーブル２３は、載置部２３２と、テーパ部２３１と、を備えている。載置部２３２には、ベアディスクまたはカートリッジディスク内部のディスクが載置される。テーパ部２３１は、載置部２３２の中心に設けられ、上面側が径小となる状態に形成されている。このテーパ部２３１に、ベアディスクの円状孔部またはカートリッジディスク内部のディスクの円状孔部が係合される。また、テーパ部２３１の上面側には、磁石が嵌め込まれている。
【００１９】
また、ディスクテーブル２３の下面側には、図示しないディスク回転駆動手段が設けられている。このディスク回転駆動手段は、例えばモータ等を備えており、ディスクトレイ３０に載置されたベアディスクまたはカートリッジディスク内部のディスクを回転させる。すなわち、ディスク回転駆動機構は、前記電気回路と各種信号が送受信可能な状態に接続されている。そして、前記電気回路の制御によりディスクテーブル２３を高速回転させることにより、ディスクトレイ３０に載置されていたベアディスクまたはカートリッジディスク内部のディスクを回転させる。
【００２０】
また、ベース部材２０の枠内には、記録再生機構配置用孔部２６が設けられている。この記録再生機構配置用孔部２６には、記録再生機構が設けられている。この記録再生機構は、ベアディスクまたはカートリッジディスク内部のディスクの記録面にレーザー光線を照射して情報を記録・再生する装置であり、記録再生機構配置用孔部２６においてディスクトレイ３０の進退方向と略平行な方向に進退可能となっている。
【００２１】
図２において、ディスクトレイ３０は、ベアディスクまたはカートリッジディスクが載置される。このディスクトレイ３０は、連動機構５０の作用により、ベアディスクまたはカートリッジディスクをスロットから筐体１０内部に挿入する方向に前進し、かつ、ベアディスクまたはカートリッジディスクをスロットから筐体１０外部に排出する方向に後退する。そして、ディスクトレイ３０は、ディスクトレイ本体３０Ａと、載置面３１と、立上部３２と、スライダ３３と、一対のディスクホルダー３５とを備えている。
【００２２】
ディスクトレイ本体３０Ａは、例えばＡＢＳ樹脂等の合成樹脂により、平面視において略長方形状に形成されている。このディスクトレイ本体３０Ａの下面における長手方向側縁部には、ディスクトレイ３０が進退する方向に沿って直線状の図示しない溝部が一体形成されていて、この溝部に側面部１５の摺動片１５０が係合している。そして、ディスクトレイ３０は、これらの溝部と摺動片１５０によって進退方向にスムーズに進退する。
【００２３】
また、ディスクトレイ本体３０Ａにおける長手方向一側縁の下面には、図３に示すように、カム面３０Ａ１が設けられている。このカム面３０Ａ１は、ディスクトレイ３０の進退動作を後述するカム機構７２の回転部材７２１に伝達するもので、ディスクトレイ３０を筐体１０内部に完全に収納した状態において、筐体１０の側面部１５の一方に設けられた開口部１５１と対向する位置に設けられている。そして、カム面３０Ａ１は、第１の平面部３０Ａ２と、第２の平面部３０Ａ３と、テーパ面部３０Ａ４と、を有している。
【００２４】
第１の平面部３０Ａ２は、ディスクトレイ本体３０Ａの下面と略同一平面上に設けられ、カム面３０Ａ１における前進方向側の部位である。第２の平面部３０Ａ３は、第１の平面部３０Ａ２よりも後退方向側に設けられ、第１の平面部３０Ａ２と略平行して設けられた部位である。また、この第２の平面部３０Ａ３は、第１の平面部３０Ａ２よりもディスクトレイ本体３０Ａの上面側に凹む状態に設けられている。テーパ面部３０Ａ４は、第１の平面部３０Ａ２および第２の平面部３０Ａ３の間をテーパ状に連結する状態で設けられた部位である。
【００２５】
載置面３１は、ディスクトレイ本体３０Ａにおける上面の前面側に設けられ、ベアディスクおよびカートリッジディスクの双方を載置可能とする。この載置面３１の略中央には、ベアディスクを載置するための円状凹部３１０が形成されている。
【００２６】
立上部３２は、ケーシングの化粧板と同材質にて化粧板のスロットを閉塞する長手板状に形成され、ディスクトレイ本体３０Ａの後退方向側端部から立ち上がる状態に設けられている。この立上部３２における前進方向側の一端面略中央には、図３に示すように、一対のフック部３２０が設けられている。このフック部３２０は、それぞれ前進方向に突出して形成された略矩形状の突起であり、後述するシャッター部材７１が完全に閉塞した状態において、このシャッター部材７１における爪部７１１Ｅと対向する状態に配設されている。
【００２７】
スライダ３３は、例えば合成樹脂等で形成されたベアディスクおよびカートリッジディスクの位置決め部材であり、ディスクトレイ３０の前進方向側に取り付けられている。このスライダ３３は、ばね等の図示しない弾性部材によって後退方向に向けて付勢されている。
【００２８】
一対のディスクホルダー３５は、例えば合成樹脂等で形成されたベアディスクの位置決め部材であり、立上部３２の長尺方向両端側に回動可能に取り付けられている。そして、ベアディスクをディスクトレイ３０に搭載する場合、ディスクホルダー３５を、ベアディスクの外周縁部に略当接する位置まで回動させる。一方、カートリッジディスクをディスクトレイ３０に搭載する場合、ディスクホルダー３５を、立上部３２に当接する位置に回動させる。
【００２９】
クランプ機構４０は、ディスクテーブル２３で係合されたベアディスクまたはカートリッジディスク内部のディスクがディスクテーブル２３から外れないように保持する機構である。このクランプ機構４０は、略矩形板状の天井部４０Ａを備えており、当該天井部４０Ａは本発明における装置本体にも相当する。この天井部４０Ａの外周縁部は、筐体１０の上面開口部１３を塞ぐ様に取り付けられている。そして、天井部４０Ａにおけるディスクテーブル２３と対向する位置には、クランパ４１が設けられており、このクランパ４１はクランパホルダ４２に支持されている。そして、クランパ４１は、合成樹脂で形成されていて中心部の上面側に図示しない円盤状金属部材が嵌めこまれている。クランパホルダ４２は、ディスクトレイ３０が筐体１０内に完全に収容されると、クランパ４１を下面側に下げる状態に回動し、また、ディスクトレイ３０が筐体１０から排出される際にはクランパ４１を上面側に上げる状態に回動する。また、クランパホルダ４２には板ばね４３が設けられていて、クランパホルダ４２が下面側に下がったときにクランパホルダ４２を上面側に付勢する。
【００３０】
ここで、ベアディスクまたはカートリッジディスクに対して記録・再生処理を実施する場合のクランプ機構の動作について説明する。ディスクトレイ３０が筐体１０内に完全に収納されると、クランパホルダ４２はクランパ４１を下面側に下げる状態に回動し、ベース部材２０は図中上方向に回動する。これにより、クランパホルダ４２とディスクテーブル２３とが互いに接近する。そして、ベアディスクの円状孔部またはカートリッジディスクにおけるディスクの円状孔部がディスクテーブル２３のテーパ部２３１に係合され、載置部２３２にディスクが載置される。また、ディスクテーブル２３におけるテーパ部２３１の磁石の磁力により、テーパ部２３１とクランパ４１の円盤状金属部材が互いに引き合い、密着する。これにより、ディスクテーブル２３のテーパ部２３１と、クランプ機構４０のクランパ４１とで、このベアディスクまたはカートリッジディスクのディスクが回転可能な状態で保持される。
【００３１】
閉塞開放機構７０は、ディスクトレイ３０が前進する動作に連動して天井部４０Ａとディスクトレイ３０における立上部３２との隙間を閉塞し、ディスクトレイ３０が後退する動作に連動して天井部４０Ａとディスクトレイ３０における立上部３２との隙間を開放する。そして天井部４０Ａとディスクトレイ３０における立上部３２との隙間を閉塞されることにより、結果としてスロットと立上部３２との隙間が閉塞されたような状態となる。そして、図３に示すように、閉塞開放機構７０は、シャッター部材７１と、カム機構７２と、を備えている。
【００３２】
シャッター部材７１は、クランプ機構４０の天井部４０Ａの後退方向端部側に回動自在に設けられ、天井部４０Ａとディスクトレイ３０における立上部３２との隙間を開閉可能とする。このシャッター部材７１は、取付部７１０と、シャッター部材本体７１１と、を備えている。
【００３３】
取付部７１０は、長尺方向がディスクトレイ本体３０Ａの長尺方向と略直交する長尺板状に形成されており、クランプ機構４０の天井部４０Ａ上面における後退方向端部側に、例えばねじなどにて取付固定されている。そして、この取付部７１０は、第１の軸受７１０Ａと、第２の軸受７１０Ｂと、を備えている。第１の軸受７１０Ａは、取付部７１０の長尺方向における両側縁のうち後退方向側において、筐体１０における開口部１５１が設けられていない方の側面部１５側に設けられ、軸方向が取付部７１０の長尺方向と略平行した状態になっている。第２の軸受７１０Ｂは、取付部７１０の長尺方向における両側縁のうち後退方向側において、筐体１０における開口部１５１が設けられた方の側面部１５側に設けられ、軸方向が取付部７１０の長尺方向と略平行した状態になっている。
【００３４】
シャッター部材本体７１１は、例えば金属板などにて長尺板状に形成されており、取付部７１０にて回動自在に軸支されている。このシャッター部材本体７１１は、長尺方向がディスクトレイ本体３０Ａの長尺方向と略直交している。そして、シャッター部材本体７１１の長尺方向一端部は、筐体１０における開口部１５１が設けられていない方の側面部１５よりも内側に設けられている。また、シャッター部材本体７１１の長尺方向他端部は、筐体１０における開口部１５１が設けられた方の側面部１５よりも所定の距離だけ外側まで設けられている。
【００３５】
そして、シャッター部材本体７１１の長尺方向における両側縁のうち前進方向側には、第１の回動軸７１１Ａと、第２の回動軸７１１Ｂと、第３の回動軸７１１Ｃと、がそれぞれ設けられている。第１の回動軸７１１Ａは、軸方向がシャッター部材本体７１１の長尺方向に略沿う円柱状の軸部材であり、取付部７１０における第１の軸受７１０Ａに対応する位置に設けられている。そして、この第１の回動軸７１１Ａは、第１の軸受７１０Ａに回動可能に軸支されている。第２の回動軸７１１Ｂは、軸方向がシャッター部材本体７１１の長尺方向に略沿う円柱状の軸部材である。この第２の回動軸７１１Ｂは、シャッター部材本体７１１の長尺方向他端側で、筐体１０における側面部１５の筐体側軸受１５３と対応する位置に設けられている。そして、第２の回動軸７１１Ｂは、筐体側軸受１５３に回動可能に軸支されている。第３の回動軸７１１Ｃは、軸方向がシャッター部材本体７１１の長尺方向に略沿う円柱状の軸部材であり、シャッター部材本体７１１における第１の回動軸７１１Ａと第２の回動軸７１１Ｂとの間、すなわち、取付部７１０における第２の軸受７１０Ｂに対応する位置に設けられている。そして、第３の回動軸７１１Ｃは、第２の軸受７１０Ｂに回動可能に軸支されている。
【００３６】
また、このシャッター部材本体７１１の長尺方向両側部のうち後退方向側は、クランプ機構４０の天井部４０Ａの後退方向側端部よりも外側に突出する状態で設けられている。さらに、このシャッター部材本体７１１の長尺方向両側縁のうち後退方向側は、シャッター部材本体７１１に対して装置内部に向かう方向に所定の角度だけ折り曲げられ、これにより略長尺矩形状の折曲部７１１Ｄが形成されている。さらに、この折曲部７１１Ｄのスロット側、すなわち、折曲部７１１Ｄの長尺方向他側縁における所定の位置には、シャッター部材本体７１１の長尺方向と略直交する方向に突出した一対の爪部７１１Ｅが設けられている。この爪部７１１Ｅは、シャッター部材本体７１１が完全に閉塞した状態において、ディスクトレイ３０における立上部３２のフック部３２０と対向する状態に配設されている。
【００３７】
なお、以下において、シャッター部材本体７１１がクランプ機構４０の天井部４０Ａから筐体１０の底部１１に向かって回動する方向を閉塞方向と称し、シャッター部材本体７１１が筐体１０の底部１１からクランプ機構４０の天井部４０Ａに向かって回動する方向を開放方向と称して説明する。
【００３８】
カム機構７２は、ディスクトレイ３０が進退することによりシャッター部材７１を回動させる。このカム機構７２は、プレート７２０と、回転部材７２１と、付勢部材７２２と、を備えている。
【００３９】
プレート７２０は、シャッター部材本体７１１の長尺方向他端部に連続して設けられている。すなわち、プレート７２０は、筐体１０における開口部１５１が設けられた方の側面部１５と略平行する長尺板状に形成され、その長尺方向の一端側がシャッター部材本体７１１の長尺方向他端部と折れ線を介して一体的に折曲形成されている。また、プレート７２０の長尺方向他端側の所定の部位には、付勢部材７２２が取り付けられる付勢部材取付部７２０Ａが設けられている。なお、このプレート７２０と、シャッター部材本体７１１と、折曲部７１１Ｄと、爪部７１１Ｅとは、例えば一連の金属板をプレス加工することにより一体的に形成されている。
【００４０】
回転部材７２１は、プレート７２０の他端に設けられ、ディスクトレイ３０の進退動作に連動してカム面３０Ａ１に沿って滑らかに回転する。すなわち、回転部材７２１は、軸部材７２１Ａと、円筒部材７２１Ｂと、を備えている。軸部材７２１Ａは、略円柱状の軸部材であり、その軸方向がカム面３０Ａ１に対して平行な方向かつシャッター部材本体７１１の長尺方向に略平行となっている。円筒部材７２１Ｂは、その内周面に軸部材７２１Ａが嵌挿され、軸部材７２１Ａを回転中心として回転可能になっている。この円筒部材７２１Ｂは、筐体１０における開口部１５１が設けられた側面部１５の外側から開口部１５１を通して内側に挿通され、ディスクトレイ３０のカム面３０Ａ１に当接されている。
【００４１】
付勢部材７２２は、コイルばねであり、筐体１０およびプレート７２０間に亘って設けられ、シャッター部材７１を常に閉塞する方向に付勢する。すなわち、付勢部材７２２は、その一端側が筐体１０における側面部１５の付勢部材取付部１５２に取り付けられ、その他端側がプレート７２０の付勢部材取付部７２０Ａに取り付けられる。そして、付勢部材７２２は、プレート７２０の他端を略前進方向に引っ張る状態に付勢する。ここで、シャッター部材本体７１１の長尺方向における両側縁のうち前進方向側が取付部７１０に回動可能な状態で軸支されているので、回転部材７２１は常にディスクトレイ３０のカム面３０Ａ１を押し付ける状態に付勢される。
【００４２】
〔ディスク装置の動作〕
次に、本実施の形態におけるディスク装置１の動作について図面に基づいて説明する。
【００４３】
（ベアディスクをディスクトレイに載置した場合のディスク装置１の動作）
次に、ベアディスクをディスクトレイ３０に載置した場合のディスク装置１の動作について、図４ないし図６に基づいて説明する。図４は、ベアディスクをディスクトレイに載置した場合のディスク装置の第１の状態を示す側面図である。図５は、ベアディスクをディスクトレイに載置した場合のディスク装置の第２の状態を示す側面図である。図６は、ベアディスクをディスクトレイに載置した場合のディスク装置の第３の状態を示す側面図である。なお、図４ないし図６では、ディスク装置１の動作を説明するために、ディスク装置１の各構成における一部の断面を適宜示し、また各構成における一部を適宜省略して簡略化して示している。
【００４４】
まず、ディスクトレイ３０が後退方向に移動して完全に筐体１０の外部に排出された状態において、ディスクトレイ３０における載置面３１の円状凹部３１０にベアディスク８０を載置する。このとき、一対のディスクホルダー３５をベアディスク８０の外周に略当接する状態まで回動させておく。また、スライダ３３が後退方向側に付勢されることによりスライダ３３がベアディスク８０の外周に略当接する状態に位置している。これにより、ベアディスク８０の位置が決定される。また、この状態において、ベース部材２０は、ディスクトレイ３０の進退動作においてディスクテーブル２３がディスクトレイ３０と干渉しないように、図中下方向に回動されている。
【００４５】
そして、筐体１０における前面部１４のイジェクトボタンを操作することにより、連動機構５０が作動し、ディスクトレイ３０が前進方向に摺動する。このディスクトレイ３０の前進動作に連動して回転部材７２１がディスクトレイ３０のカム面３０Ａ１に沿って滑らかに回転する。そして、ディスクトレイ３０の前進動作に伴って、回転部材７２１の位置はディスクトレイ３０のカム面３０Ａ１に沿って図中上方向に変動する。これにより、シャッター部材本体７１１が、回転部材７２１およびプレート７２０を介し、第１の回動軸７１１Ａと、第２の回動軸７１１Ｂと、第３の回動軸７１１Ｃとを回動支点として、閉塞方向に回動する。
【００４６】
具体的には、図４に示す第１の状態において、シャッター部材本体７１１は、回転部材７２１がカム面３０Ａ１における第１の平面部３０Ａ２に当接される位置にある場合、完全に開放方向に回動した状態となっている。そして、さらにディスクトレイ３０が前進方向に摺動し、図５に示す第２の状態、つまり、回転部材７２１がカム面３０Ａ１におけるテーパ面部３０Ａ４に当接される位置に至ると、回転部材７２１がテーパ面部３０Ａ４に沿って図中上方向に移動する。これにより、シャッター部材本体７１１は、徐々に閉塞方向に回動する。さらに、ディスクトレイ３０が前進方向に摺動し、回転部材７２１がカム面３０Ａ１におけるテーパ面部３０Ａ４から第２の平面部３０Ａ３に当接される位置に至ると、シャッター部材本体７１１は、完全に閉塞方向に回動した状態となる。また、さらにディスクトレイ３０が前進方向に摺動し、図６に示す第３の状態、つまり、ディスクトレイ３０が筐体１０内部に完全に収納された状態に至ると、シャッター部材本体７１１の爪部７１１Ｅは、ディスクトレイ３０における立上部３２のフック部３２０に係合する。
【００４７】
そして、第３の状態では、連動機構５０が作動してベース部材２０は図中上方向に回動し、クランパホルダ４２はクランパ４１を下面側に下げる状態に回動する。このため、ベアディスク８０は、ディスクテーブル２３のテーパ部２３１と、クランプ機構４０のクランパ４１とで回転可能な状態で保持される。そして、ディスク回転駆動手段はベアディスク８０を回転させ、記録再生機構はベアディスク８０に対して情報の記録・再生を実施する。このとき、シャッター部材本体７１１の爪部７１１Ｅとフック部３２０とが係合しており、クランプ機構４０の天井部４０Ａとディスクトレイ３０の立上部３２との隙間はシャッター部材本体７１１により閉塞された状態となっている。このシャッター部本体７１１の爪部７１１Ｅとフック部３２０との係合により、高速回転するディスクにより発生するディスク外周方向に向かう風の流れによって押し開けられることを抑制し、防塵効果を発揮することができる。
【００４８】
この後、ベアディスク８０に対して記録再生機構による情報の記録・再生が終了し、筐体１０における前面部１４のイジェクトボタンが操作されると、連動機構５０が作動し、ベース部材２０は図中下方向に回動する。これにより、ベアディスク８０は、ディスクテーブル２３との係合から解除されて、ディスクトレイ３０における載置面３１に載置される。そして、ディスクトレイ３０は、連動機構５０の作用により後退方向に摺動する。このディスクトレイ３０の後退動作に連動して、シャッター部材本体７１１は、図６に示した第３の状態、図５に示した第２の状態、図４に示した第１の状態へと順に開放方向に回動する。そして、ディスクトレイ３０が後退方向に移動して完全に筐体１０の外部に排出されると、ベアディスク８０を取り出すことが可能となる。
【００４９】
（カートリッジディスクをディスクトレイに載置した場合のディスク装置の動作）
まず、カートリッジディスクをディスクトレイ３０に載置した場合のディスク装置１の動作について、図７ないし図９に基づいて説明する。図７は、カートリッジディスクをディスクトレイに載置した場合のディスク装置の第１の状態を示す側面図である。図８は、カートリッジディスクをディスクトレイに載置した場合のディスク装置の第２の状態を示す側面図である。図９は、カートリッジディスクをディスクトレイに載置した場合のディスク装置の第３の状態を示す側面図である。なお、図７ないし図９では、ディスク装置１の動作を説明するために、ディスク装置１の各構成における一部の断面を適宜示し、また各構成における一部を適宜省略して簡略化して示している。
【００５０】
まず、ディスクトレイ３０が後退方向に移動して完全に筐体１０の外部に排出された状態において、ディスクトレイ３０における載置面３１にカートリッジディスク９０を載置する。このとき、一対のディスクホルダー３５をディスクトレイ３０の立上部３２に当接する状態まで回動させておく。また、スライダ３３が後退方向側に付勢されることによりスライダ３３がカートリッジ９１の外周に押し付けられ、カートリッジディスク９０の位置が決定される。また、この状態において、ベース部材２０は、ディスクトレイ３０の進退動作においてディスクテーブル２３がディスクトレイ３０と干渉しないように、図中下方向に回動されている。
【００５１】
そして、筐体１０における前面部１４のイジェクトボタンを操作することにより、連動機構５０が作動し、ディスクトレイ３０が前進方向に摺動する。このディスクトレイ３０の前進動作に連動して回転部材７２１がディスクトレイ３０のカム面３０Ａ１に沿って滑らかに回転する。そして、ディスクトレイ３０の前進動作に伴って、回転部材７２１の位置はディスクトレイ３０のカム面３０Ａ１に沿って図中上方向に変動する。これにより、シャッター部材本体７１１が、回転部材７２１およびプレート７２０を介し、第１の回動軸７１１Ａと、第２の回動軸７１１Ｂと、第３の回動軸７１１Ｃとを回動支点として、閉塞方向および開放方向に回動する。
【００５２】
具体的には、図７に示す第１の状態において、シャッター部材本体７１１は、回転部材７２１がカム面３０Ａ１における第１の平面部３０Ａ２に当接される位置にある場合、完全に開放方向に回動した状態となっている。そして、さらにディスクトレイ３０が前進方向に摺動し、図８に示す第２の状態、つまり、回転部材７２１がカム面３０Ａ１におけるテーパ面部３０Ａ４と対向する位置に至ると、シャッター部材本体７１１が閉塞方向に回動する。このとき、シャッター部材本体７１１の爪部７１１Ｅがカートリッジ９１の上面に当接するが、さらにディスクトレイ３０が前進してもシャッター部材本体７１１は閉塞方向に回動しない。すなわち、シャッター部材本体７１１の爪部７１１Ｅがカートリッジ９１の上面に当接した状態において、回転部材７２１は、テーパ面部３０Ａ４および第２の平面部３０Ａ３に対して非接触の状態となる。また、さらにディスクトレイ３０が前進方向に摺動し、図９に示す第３の状態、つまり、ディスクトレイ３０が筐体１０内部に完全に収納された状態に至ると、シャッター部材本体７１１の爪部７１１Ｅは、ディスクトレイ３０における立上部３２のフック部３２０に係合しない。そして、爪部７１１Ｅはカートリッジ９１の上面に当接したままとなっているので、シャッター部材本体７１１がカートリッジディスク９０を装置内部へ挿入する際に障害となることもない。
【００５３】
そして、第３の状態では、連動機構５０が作動してベース部材２０は図中上方向に回動し、クランパホルダ４２はクランパ４１を下面側に下げる状態に回動する。このため、ディスク９２は、ディスクテーブル２３のテーパ部２３１と、クランプ機構４０のクランパ４１とで回転可能な状態で保持される。そして、ディスク回転駆動手段はディスク９２を回転させ、記録再生機構はディスク９２に対して情報の記録・再生を実施する。このときディスク９２はカートリッジの中に入っているので、ディスクの回転による風の流れはシャッターに及ばず、爪部７１１Ｅとフック部３２０との係合がなくとも付勢部材７２２のみでシャッターの閉塞を維持することができる。
【００５４】
この後、ディスク９２に対して記録再生機構による情報の記録・再生が終了し、筐体１０における前面部１４のイジェクトボタンが操作されると、連動機構５０が作動し、ベース部材２０は筐体１０の図中下方向に回動する。これにより、ディスク９２は、ディスクテーブル２３との係合から解除されて、カートリッジ９１の内面上に載置される。そして、ディスクトレイ３０は、連動機構５０の作用により後退方向に摺動する。このディスクトレイ３０の後退動作に連動して、シャッター部材本体７１１は、図９に示した第３の状態、図８に示した第２の状態、図７に示した第１の状態へと順に開放方向に回動する。そして、ディスクトレイ３０が後退方向に摺動して完全に筐体１０の外部に排出されると、カートリッジディスク９０を取り出すことが可能となる。
【００５５】
〔ディスク装置の作用効果〕
上述したように、上記実施の形態のディスク装置１は、以下に示す作用効果を奏することができる。
【００５６】
（１）ディスク装置１に、ディスクが挿入又は排出される筐体１０と、ディスクを載置可能であり、筐体１０の内部に挿入される方向及び筐体１０の外部に排出される方向に移動可能なディスクトレイ３０と、ディスクトレイ３０が筐体１０の内部に挿入される動作に連動して天井部４０Ａとディスクトレイ３０との隙間を閉塞し、ディスクトレイ３０が筐体１０の外部へ排出される動作に連動して天井部４０Ａとディスクトレイ３０との隙間を開放する閉塞開放機構７０と、を設けている。このため、閉塞開放機構７０は、ディスクトレイ３０の進退動作に連動して天井部４０Ａとディスクトレイ３０の立上部３２との隙間を閉塞開放するので、結果として、スロットとディスクトレイ３０の立上部３２との隙間を閉塞でき、当該隙間を閉塞開放するために大掛かりな駆動機構などの手段を設けずとも、当該隙間からの塵埃の侵入を防ぐ事ができる。そして、シャッター部本体７１１の爪部７１１Ｅとフック部３２０との係合により、高速回転するディスクにより発生するディスク外周方向に向かう風の流れによって押し開けられることを抑制し、防塵効果を発揮することができる。
【００５７】
（２）ディスクトレイ３０には、ベアディスク８０とカートリッジディスク９０との双方が載置可能である。このため、ディスク装置１は、ベアディスク８０およびカートリッジディスク９０のいずれに対しても情報の記録・再生が可能となるので、従来のＣＤやＤＶＤなどのベアディスクタイプのディスクや、近年需要が高まっているBlue Ray（ブルーレイ）ディスクなどのカートリッジタイプのディスクのいずれにも対応できる。また、従来、カートリッジディスク９０を載置可能とすることで、ディスクトレイ３０にはカートリッジ９１を収納するためのスペースを拡張して設ける必要があり、スペースを拡張した分、天井部４０Ａの後退方向側端部とディスクトレイ３０の立上部３２との隙間も広がり易くなる、という問題があった。ここで、簡易な構成の閉塞開放機構７０を天井部４０Ａの後退方向側端部側に設けたことにより、カートリッジディスク９０が載置可能なディスク装置１にベアディスク８０を載置した場合でも、天井部４０Ａとディスクトレイ３０の立上部３２との隙間を閉塞でき、結果としてスロットとディスクトレイ３０の立上部３２との隙間から侵入する塵埃を阻止することができる。
【００５８】
（３）閉塞開放機構７０は、クランプ機構４０に回動自在に設けられ、天井部４０Ａとディスクトレイ３０における立上部３２との隙間を開閉可能とするシャッター部材７１を備えている。また、ディスクトレイ３０が進退することによりシャッター部材７１を回動させるカム機構７２を設けている。さらに、ディスクトレイ本体３０Ａにおける長手方向一側縁の下面には、カム面３０Ａ１を設けている。このカム面３０Ａ１は、ディスクトレイ３０の進退動作をカム機構７２に伝達する。この方式によりクランプ機構４０の天井部４０Ａとディスクトレイの立上部３２との隙間から侵入する塵埃を防止することが可能となる。
【００５９】
（４）カム機構７２に、シャッター部材本体７１１の長尺方向他端部に連続して設けられたプレート７２０と、このプレート７２０の一端に設けられディスクトレイ３０の進退動作に連動してカム面３０Ａ１に沿って滑らかに回転する回転部材７２１と、筐体１０およびプレート７２０間に亘って設けられシャッター部材７１を常に閉塞する方向に付勢する付勢部材７２２と、を設けている。このため、付勢部材７２２による付勢力およびカム面３０Ａ１の形状により回転部材７２１が移動し、これに連動してシャッター部材本体７１１を閉塞方向または開放方向に回動させることができる。したがって、シャッター部材本体７１１を回動させるために大掛かりな駆動源を用いることなく、簡易な構成でディスクトレイ３０の進退動作に連動したシャッター部材本体７１１の回動が実現できる。これにより、ディスク装置１全体の小型化にも貢献することができる。
【００６０】
（５）シャッター部材本体７１１の長尺方向における両側縁のうち前進方向側には、その長尺方向一端側に第１の回動軸７１１Ａと、その他端側に第２の回動軸７１１Ｂと、さらに第１の回動軸７１１Ａと第２の回動軸７１１Ｂとの間に第３の回動軸７１１Ｃと、を設けている。このため、第１の回動軸７１１Ａ、第２の回動軸７１１Ｂおよび第３の回動軸７１１Ｃの３つの回動軸によるシャッター部材本体７１１の安定した回動を実現することができる。
【００６１】
（６）シャッター部材本体７１１の長尺方向両側縁のうち後退方向側に、一対の爪部７１１Ｅを設けている。また、ディスクトレイ３０の立上部３２には、シャッター部材７１が完全に閉塞した状態において、シャッター部材本体７１１における爪部７１１Ｅと対向する位置に一対のフック部３２０を設けている。そして、ディスクトレイ３０にベアディスク８０を載置した場合、ディスクトレイ３０を筐体１０内部に収納した状態において、爪部７１１Ｅはフック部３２０に係合する。また、ディスクトレイ３０にカートリッジディスク９０を載置した場合、ディスクトレイ３０を筐体１０内部に収納した状態において、爪部７１１Ｅはフック部３２０に係合しない。このため、ベアディスク８０の場合、ベアディスク８０の回転によって生じる風圧が付勢部材７２２に逆らって開放方向に働くが、シャッター部材本体７１１の爪部７１１Ｅとフック部３２０とが係合しているため、天井部４０Ａとディスクトレイ３０の立上部３２との隙間をシャッター部材本体７１１により強固に閉塞した状態とすることができる。また、カートリッジディスク９０の場合、シャッター部材本体７１１の爪部７１１Ｅはディスクトレイ３０における立上部３２のフック部３２０に係合せず、カートリッジ９１の上面に当接したままとなっている。これにより、シャッター部材本体７１１がカートリッジディスク９０を装置内部へ挿入する際に障害となることを防止することができる。したがって、簡単な構成で、ベアディスク８０の場合は閉塞開放機構７０の機能を充分に発揮させ、カートリッジディスク９０の場合は閉塞開放機構７０がカートリッジディスク９０を装置内部へ挿入する際の障害となることを防ぐことができる。
【００６２】
（７）シャッター部材本体７１１の長尺方向両側縁のうち後退方向側を、シャッター部材本体７１１に対して装置内部に向かう方向に所定の角度だけ折り曲げて、略長尺矩形状の折曲部７１１Ｄを形成している。さらに、この折曲部７１１Ｄの長尺方向他側縁における所定の位置に、シャッター部材本体７１１の長尺方向と略直交する方向に突出した一対の爪部７１１Ｅを設けている。このため、折曲部７１１Ｄを形成したことにより、爪部７１１Ｄが立上部３２における前進方向側の一端面略中央に設けられたフック部３２０に係合可能となると共に、爪部７１１Ｄがフック部３２０に係合した状態においてクランプ機構４０の天井部４０Ａの後退方向側端部からディスクトレイ３０の立上部３２の上部までがシャッター部材本体７１１および折曲部７１１Ｄにより完全に塞がれた状態となる。したがって、ベアディスクの回転による風圧でシャッター部材７１１が開放する事もなく外部からの塵埃の侵入を抑制することができる。また、折曲部７１１Ｄを形成したことによりシャッター部材７１全体がコンパクトになり、クランプ機構４０の天井部４０Ａの後退方向側端部からディスクトレイ３０の立上部３２までの短い距離の間に納めることができる。したがって、閉塞開放機構７０をディスク装置１に設けるためにディスク装置１の進退方向の長さ寸法を大きくする必要がなく、装置の小型化にも寄与することができる。
【００６３】
（８）プレート７２０と、シャッター部材本体７１１と、折曲部７１１Ｄと、爪部７１１Ｅとを、例えば一連の金属板をプレス加工することにより一体的に形成している。このため、閉塞開放機構７０の製造に当って、これらプレート７２０と、シャッター部材本体７１１と、折曲部７１１Ｄと、爪部７１１Ｅとの形成が容易に実施でき、作業効率の向上および製造コストの低減を図ることができる。
【００６４】
（９）取付部７１０をクランプ機構４０の天井部４０Ａの上面に設けている。仮に、取付部７１０をクランプ機構４０の天井部４０Ａの下面に設けた場合、シャッター部材本体７１１が回動する際クランプ機構４０における天井部４０Ａの後退方向端部と接触することにより、シャッター部材本体７１１の回動の妨げになるおそれがある。しかし、本実施の形態では取付部７１０をクランプ機構４０の天井部４０Ａの上面に設けているので、シャッター部材本体７１１は閉塞方向および開放方向へ好適に回動することができる。
【００６５】
（１０）側面部１５の一方において、その長尺方向両端部のうち後退方向側かつ当該側面部１５の長尺方向と直交する方向の略中間位置に、回転部材７２１が挿通される所定の形状の開口部１５１を形成している。また、シャッター部材本体７１１の長尺方向他端部を、筐体１０における開口部１５１が設けられた方の側面部１５よりも所定の距離だけ外側まで設けている。そして、このシャッター部材本体７１１の長尺方向他端部にプレート７２０を設け、このプレート７２０に回転部材７２１を設けている。さらに、回転部材７２１を、筐体１０における開口部１５１が設けられた側面部１５の外側から開口部１５１を通して内側に挿通し、ディスクトレイ３０のカム面３０Ａ１に当接している。このため、ディスクトレイ３０の進退動作を回転部材７２１およびプレート７２０を介して筐体１０の外側からシャッター部材本体７１１に伝達することができる。これにより、閉塞開放機構７０を設けることにより筐体１０内部を拡張する必要もなく、かつ、閉塞開放機構７０の動作が筐体１０内部に収納された各部の動作に干渉することもない。したがって、ディスクトレイ３０の進退動作に連動したシャッター部材本体７１１の閉塞方向および開放方向への良好な回動動作が実現できる。
【００６６】
〔実施の形態の変形〕
なお、本発明は上述した実施の形態に限定されるものではなく、本発明の目的を達成できる範囲で以下に示される変形をも含むものである。
【００６７】
すなわち、上述したように、本実施の形態では、カートリッジディスクとベアディスクとの双方を載置可能なディスクトレイ３０を具備したディスク装置１について例示して説明したがこれに限らず、ベアディスクのみを載置可能なディスクトレイを具備した構成にも適用できる。
【００６８】
前記実施の形態では、シャッター部材本体７１１は、金属板にて形成される構成としたがこれに限らず、例えば、合成樹脂板などにて形成される構成などとしてもよい。このような場合、シャッター部材本体７１１を樹脂加工にて簡単に形成することができる。
【００６９】
前記実施の形態では、シャッター部材本体７１１の長尺方向における両側縁のうち前進方向側には、第１の回動軸７１１Ａと、第２の回動軸７１１Ｂと、第３の回動軸７１１Ｃと、が設けられている構成としたが、これに限らない。すなわち、シャッター部材本体７１１に設けられる回動軸の数は任意であり、例えば、第３の回動軸７１１Ｃが第１の回動軸７１１Ａおよび第２の回動軸７１１Ｂの間に複数設けられる構成としてもよい。このような構成の場合、シャッター部材７１１の密封性度を強化でき、外部からの塵埃の侵入を抑制することができる。
【００７０】
前記実施の形態では、ディスクトレイ３０のカム面３０Ａ１は、ディスクトレイ本体３０Ａの下面における長手方向一側縁の後退方向側に設けられる構成としたが、これに限らない。すなわち、例えば、ディスクトレイ本体３０Ａの長手方向側面に所定形状の溝を形成し、この溝に沿って回転部材７２１が回転することによりシャッター部材本体７１１が回動する構成としてもよい。このような構成の場合、付勢部材７２２を用いずともシャッター部材本体７１１を回動させることができるので、ディスク装置１の製造に当り部品点数を削減でき、製造コストを低く抑えることができる。また、回転部材７２１はこれに限定されず、例えば摺動性の良い固定部材でもよい。
【００７１】
前記実施の形態では、プレート７２０は、シャッター部材本体７１１の長尺方向他端部に連続して設けられている構成としたが、これに限らない。すなわち、例えば、プレートは、シャッター部材本体７１１の長尺方向両端部にそれぞれ１つずつ設けられる構成としてもよい。このような構成の場合、シャッター部材本体７１１をバランス良く回動させることができる。
【００７２】
前記実施の形態では、付勢部材７２２は、コイルばねなどであり、その一端側が筐体１０における側面部１５の付勢部材取付部１５２に取り付けられ、その他端側がプレート７２０の付勢部材取付部７２０Ａに取り付けられるとしたが、これに限らない。すなわち、例えば、付勢部材７２２は、板ばねなどでもよく、シャッター部材７１を常に閉塞する方向に付勢可能な構成であればいずれの付勢部材でもよく、またその配置もいずれでも構わない。
【００７３】
前記実施の形態では、爪部７１１Ｅおよびフック部３２０は一対で設けられる構成としたがこれに限らず、それぞれ３つずつ設けるなど、その数は任意である。これら爪部７１１Ｅおよびフック部３２０の数が多い程、例えば塵や埃の進入を防ぐことができる。
【００７４】
前記実施の形態では、フック部３２０は、前進方向に突出して形成された略矩形状の突起であるとしたがこれに限らず、爪部７１１Ｅと係合する形状であればいずれの形状でも構わない。すなわち、例えば、フック部３２０は、ディスクトレイ３０の立上部３２に略矩形状に形成した凹溝などとしてもよい。このような構成の場合、フック部３２０の形状が単純な凹溝であるので、合成樹脂製の立上部３２を例えば射出成形などにより成形する際にフック部３２０も同時に併せて設けることができる。したがって、製造効率を向上させることができる。
【００７５】
〔実施の形態の作用効果〕
上述したように、上記実施の形態では、ディスク装置１に、ディスクが挿入又は排出される筐体１０と、ディスクを載置可能であり、筐体１０の内部に挿入される方向及び筐体１０の外部に排出される方向に移動可能なディスクトレイ３０と、ディスクトレイ３０が筐体１０の内部に挿入される動作に連動して天井部４０Ａとディスクトレイ３０との隙間を閉塞し、ディスクトレイ３０が筐体１０の外部へ排出される動作に連動して天井部４０Ａとディスクトレイ３０との隙間を開放する閉塞開放機構７０と、を設けている。このため、閉塞開放機構７０は、ディスクトレイ３０の進退動作に連動して天井部４０Ａとディスクトレイ３０の立上部３２との隙間を閉塞開放するので、簡易な構成で当該隙間からの塵埃の侵入を防ぐ事ができる。また、ベアディスク８０の回転時の風圧により閉塞開放機構７０が開放することもなく、塵埃の侵入を抑制することができる。さらに、カートリッジ使用時には爪部７１１Ｅとフック部３２０が係合しないのであるが、シャッター部材本体７１１は付勢部材７２２によりカートリッジに密着するので、塵埃の侵入を抑制することができる。
【図面の簡単な説明】
【００７６】
【図１】本発明の一実施の形態に係るディスク装置を示す分解斜視図である。
【図２】前記実施の形態におけるケーシング、ディスクトレイ、クランプ機構および閉塞開放機構を示す平面図である。
【図３】前記実施の形態における筐体、ディスクトレイ、クランプ機構および閉塞開放機構を示す斜視図である。
【図４】前記実施の形態におけるベアディスクをディスクトレイに載置した場合のディスク装置の第１の状態を示す側面図である。
【図５】前記実施の形態におけるベアディスクをディスクトレイに載置した場合のディスク装置の第２の状態を示す側面図である。
【図６】前記実施の形態におけるベアディスクをディスクトレイに載置した場合のディスク装置の第３の状態を示す側面図である。
【図７】前記実施の形態におけるカートリッジディスクをディスクトレイに載置した場合のディスク装置の第１の状態を示す側面図である。
【図８】前記実施の形態におけるカートリッジディスクをディスクトレイに載置した場合のディスク装置の第２の状態を示す側面図である。
【図９】前記実施の形態におけるカートリッジディスクをディスクトレイに載置した場合のディスク装置の第３の状態を示す側面図である。
【符号の説明】
【００７７】
１     ディスク装置
２      ケーシング（装置本体）
２Ａ    化粧板（装置本体）
２Ａ１  スロット
１０   筐体（装置本体）
３０   ディスクトレイ
３０Ａ１      カム面
３２０ フック部
４０Ａ  天井部（装置本体）
７０   閉塞開放機構
７１   シャッター部材
７１１Ａ      第１の回動軸
７１１Ｂ      第２の回動軸
７１１Ｃ      第３の回動軸
７１１Ｅ      爪部
７２   カム機構
７２０ プレート
７２１ 回転部材
７２２ 付勢部材
８０   ベアディスク（ベアディスクタイプのディスク）
９０   カートリッジディスク（カートリッジタイプのディスク）
【図１】
2007102890.tif 000003
【図２】
2007102890.tif 000004
【図３】
2007102890.tif 000005
【図４】
2007102890.tif 000006
【図５】
2007102890.tif 000007
【図６】
2007102890.tif 000008
【図７】
2007102890.tif 000009
【図８】
2007102890.tif 000010
【図９】
2007102890.tif 000011